(57)【要約】  トレッドミルシステムは、側壁部材の上縁の少なくとも一部分の周りに延びるリム部材及び側壁部材によって囲まれた区域へのアクセスを与えるハッチ部材を含む側壁部材と、ベース部材と、支柱部材と、支柱部材に結合され、支柱部材の上側部分から延び、かつ側壁部材のリム部材に取外し可能に結合されたハンドル部材と、エクササイズ面、周囲側壁、及び内部側壁を含み、支柱部材の周りに回転するように構成された回転可能プラットフォーム部材と、エクササイズ面上に配置された粒子状基質とを含む。回転可能プラットフォーム部材のエクササイズ面は、粒子状基質を周囲側壁と内部側壁の間に均一に分配するように構成される。【選択図】図１
2017516616.tif 000002
【特許請求の範囲】
【請求項１】
トレッドミルシステムであって、
側壁部材であって、該側壁部材の上縁の少なくとも一部分の周りに延びるリム部材と前記側壁部材によって囲まれた区域へのアクセスを与えるハッチ部材を有する側壁部材と、
前記側壁部材の下縁に結合されたベース部材と、
前記側壁部材の直径の中心に配置された支柱部材と、
前記支柱部材に結合され、該支柱部材の上側部分から延び、かつ前記側壁部材の前記リム部材に取外し可能に結合されたハンドル部材と、
エクササイズ面と周囲側壁と内部側壁とを有し、前記プラットフォーム部材の少なくとも一部分が前記側壁部材によって囲まれた前記区域内に配置された状態で前記支柱部材の周りに回転するように構成された回転可能プラットフォーム部材と、
前記周囲側壁と前記内部側壁の間で前記回転可能プラットフォーム部材の前記エクササイズ面上に配置された粒子状基質と、を備え、
前記回転可能プラットフォーム部材の前記エクササイズ面は、前記粒子状基質を前記周囲側壁と前記内部側壁の間に均一に分配するように構成される、
ことを特徴とするトレッドミルシステム。
【請求項２】
前記周囲側壁は、前記回転可能プラットフォーム部材の周縁に沿って配置され、前記内部側壁は、該回転可能プラットフォーム部材の内縁に沿って配置される、
請求項１に記載のトレッドミルシステム。
【請求項３】
前記周縁の高さが、前記回転可能プラットフォーム部材の前記エクササイズ面が前記内部側壁に向けて傾斜するように前記内縁の高さよりも高い、
請求項２に記載のトレッドミルシステム。
【請求項４】
前記エクササイズ面は、平面及び弧状面のうちの少なくとも一方を有している、
請求項２に記載のトレッドミルシステム。
【請求項５】
前記回転可能プラットフォーム部材の前記エクササイズ面は、該プラットフォーム部材が前記支柱部材の周りに回転する間に前記粒子材料が均一にそこに分配される該エクササイズ面の少なくとも一部分にわたって延びる弧状面を有している、
請求項１に記載のトレッドミルシステム。
【請求項６】
前記弧状面は、前記プラットフォーム部材の前記周囲側壁から前記内部側壁まで延びる、
請求項５に記載のトレッドミルシステム。
【請求項７】
前記プラットフォーム部材の前記周囲側壁は、前記側壁部材によって囲まれた前記区域内に配置される、
請求項１に記載のトレッドミルシステム。
【請求項８】
前記粒子状基質は、砂、粉末、砂利、ゴムペレット、及び発泡物品のうちの少なくとも１つを有している、
請求項１に記載のトレッドミルシステム。
【請求項９】
前記周囲側壁及び前記内部側壁の各々の高さが、前記粒子状基質の深さの少なくとも２倍である、
請求項１に記載のトレッドミルシステム。
【請求項１０】
前記周囲側壁の高さが、前記側壁部材の高さの少なくとも１／４である、
請求項１に記載のトレッドミルシステム。
【請求項１１】
側壁部材であって、該側壁部材の上縁の少なくとも一部分の周りに延びるリム部材及び側壁部材によって囲まれた区域へのアクセスを与えるハッチ部材を有している側壁部材と、
前記側壁部材の下縁に結合されたベース部材と、
前記側壁部材の直径の中心に配置された支柱部材と、
前記支柱部材に結合され、該支柱部材の上側部分から延び、かつ前記側壁部材の前記リム部材に取外し可能に結合されたハンドル部材と、
エクササイズ面と周囲側壁と内部側壁とを有し、前記プラットフォーム部材の少なくとも一部分が前記側壁部材によって囲まれた前記区域内に配置された状態で前記支柱部材の周りに回転するように構成された回転可能プラットフォーム部材と、
前記周囲側壁と前記内部側壁の間で前記回転可能プラットフォーム部材の前記エクササイズ面上に配置された粒子状基質と、
前記ハンドル部材に取外し可能に結合され、タッチスクリーン、ユニバーサルシリアルバス（ＵＳＢ）接続部材、及びコンピュータ処理ユニット（ＣＰＵ）を含むコンピュータと、を備えている、
ことを特徴とするトレッドミルシステム。
【請求項１２】
前記ＣＰＵは、前記回転可能プラットフォーム部材の回転の速度及び持続時間のうちの少なくとも一方を制御し、かつ該回転可能プラットフォーム部材の勾配を制御する、
請求項１１に記載のトレッドミルシステム。
【請求項１３】
前記コンピュータは、スリーブ部材の受け入れ部材内への摺動可能挿入によって前記ハンドル部材に取外し可能に結合され、該スリーブ部材は、該ハンドル部材によって摺動可能に受け入れられる、
請求項１１に記載のトレッドミルシステム。
【請求項１４】
前記コンピュータは、前記エクササイズ面上のユーザの存在及び不在を感知するカメラセンサを更に含み、
前記ＣＰＵは、前記ユーザが前記カメラセンサによって感知されない時に前記回転可能プラットフォーム部材の回転を停止するように制御する、
請求項１１に記載のトレッドミルシステム。
【請求項１５】
前記ＣＰＵは、前記回転可能プラットフォーム部材の回転速度に基づいて該回転可能プラットフォーム部材の周縁の高さを増加又は低減するように該回転可能プラットフォーム部材の勾配を自動的に制御する、
請求項１１に記載のトレッドミルシステム。
【請求項１６】
前記粒子状基質は、砂、粉末、砂利、ゴムペレット、及び発泡物品のうちの少なくとも１つを有している、
請求項１１に記載のトレッドミルシステム。
【発明の詳細な説明】
【技術分野】
【０００１】
〔関連出願への参照〕
本出願は、２０１４年５月２１日に米国特許商標庁に出願の米国仮特許出願第６２／００１，４１０号の利益を主張するものであり、その内容全体が、引用によって本明細書に組み込まれている。
【０００２】
本発明は、概略的にはトレッドミルに関し、より詳細には、回転可能エクササイズプラットフォームを含むトレッドミルに関する。
【背景技術】
【０００３】
トレッドミルは、心臓血管エクササイズを得る目的でウォーキング及びランニングの行為を模擬するのに使用される機械である。トレッドミルはまた、下肢の理学療法に使用される。長距離ランナー、クロストレーナー、及びエクササイズを求める健康を意識した人々は、アスファルト又は他の硬い面上のランニングの大きい衝撃を回避するためにトレッドミルを利用することを好むことが多い。
【０００４】
トレッドミルは、ユーザが、彼らのトレッドミル上でのエクササイズ療法の持続時間、速度、及び勾配を彼らの特定の必要性に合わせるように選択することを可能にする。トレッドミルはまた、天候又は混雑したエクササイズ施設、通りの交通量、及びエクササイズ面の一貫しない勾配のような他の屋外関連の不便さに関する懸念なく屋内に居ながらエクササイズを得るための機械をユーザに提供する。これは、ユーザが、屋外でエクササイズしようとする時に存在する多くの障害に関する懸念なく、制御された条件下で心臓血管エクササイズに従事することを可能にする。
【０００５】
従来のトレッドミルは、一般的に、２つのローラの周りに回転するようにモータによって駆動されるゴムベルトを含む。ユーザは、ゴムベルトが回転する時にゴムベルトの面上を歩く又は走る。ゴムベルトの面は、典型的には、ベルトの下の剛性デッキによって支持される。デッキは、ユーザの体重を支えるのに十分に強い材料で構成される。ゴムベルトの下のデッキは、アスファルト又は走路のウォーキング又はランニング感触を模擬する。
【発明の概要】
【課題を解決するための手段】
【０００６】
従って、実施形態は、側壁部材であって側壁部材の上縁の少なくとも一部分の周りに延びるリム部材及び側壁部材によって囲まれた区域へのアクセスを与えるハッチ部材を含む側壁部材と、側壁部材の下縁に結合されたベース部材と、側壁部材の直径の中心に配置された支柱部材と、支柱部材に結合され、支柱部材の上側部分から延び、かつ側壁部材のリム部材に取外し可能に結合されたハンドル部材と、エクササイズ面、周囲側壁、及び内部側壁を含み、プラットフォーム部材の少なくとも一部分が側壁部材によって囲まれた区域内に配置された状態で支柱部材の周りに回転するように構成された回転可能プラットフォーム部材と、周囲側壁と内部側壁の間で回転可能プラットフォーム部材のエクササイズ面上に配置された粒子状基質とを含み、回転可能プラットフォーム部材のエクササイズ面が、周囲側壁と内部側壁の間に粒子状基質を均一に分配するように構成されたトレッドミルシステムを提供する。
【０００７】
更に別の実施形態により、周囲側壁は、回転可能プラットフォーム部材の周縁に沿って配置され、内部側壁は、回転可能プラットフォーム部材の内縁に沿って配置され、周縁の高さは、回転可能プラットフォーム部材のエクササイズ面が内部側壁に向けて傾斜するように内縁の高さよりも高く、エクササイズ面は、平面及び弧状面のうちの少なくとも一方を含み、回転可能プラットフォーム部材のエクササイズ面は、プラットフォーム部材が支柱部材の周りに回転する間に粒子材料が均一にそこに分配されるエクササイズ面の少なくとも一部分にわたって延びる弧状面を含み、弧状面は、周囲側壁からプラットフォーム部材の内部側壁まで延び、プラットフォーム部材の周囲側壁は、側壁部材によって囲まれた区域内に配置され、粒子状基質は、砂、粉末、砂利、ゴムペレット、及び発泡物品のうちの少なくとも１つを含み、周囲側壁及び内部側壁の各々の高さは、粒子状基質の深さの少なくとも２倍であり、周囲側壁の高さは、側壁部材の高さの少なくとも１／４である。
【０００８】
追加の実施形態は、側壁部材の上縁の少なくとも一部分の周りに延びるリム部材及び側壁部材によって囲まれた区域へのアクセスを与えるハッチ部材を含む側壁部材と、側壁部材の下縁に結合されたベース部材と、側壁部材の直径の中心に配置された支柱部材と、支柱部材に結合され、支柱部材の上側部分から延び、かつ側壁部材のリム部材に取外し可能に結合されたハンドル部材と、エクササイズ面、周囲側壁、及び内部側壁を含み、プラットフォーム部材の少なくとも一部分が側壁部材によって囲まれた区域内に配置された状態で支柱部材の周りに回転するように構成された回転可能プラットフォーム部材と、周囲側壁と内部側壁の間で回転可能プラットフォーム部材のエクササイズ面上に配置された粒子状基質と、ハンドル部材に取外し可能に結合され、タッチスクリーン、ユニバーサルシリアルバス（ＵＳＢ）接続部材、及びコンピュータ処理ユニット（ＣＰＵ）を含むコンピュータとを含むトレッドミルシステムを提供する。
【０００９】
更に別の実施形態により、ＣＰＵは、回転可能プラットフォーム部材の回転の速度及び持続時間のうちの少なくとも一方を制御し、かつ回転可能プラットフォーム部材の勾配を制御する。コンピュータは、スリーブ部材の受け入れ部材内への摺動可能挿入によってハンドル部材に取外し可能に結合され、スリーブ部材は、ハンドル部材によって摺動可能に受け入れられる。コンピュータは、エクササイズしている面上のユーザの存在及び不在を感知するカメラセンサを更に含み、ＣＰＵは、ユーザがカメラセンサによって感知されない時に回転可能プラットフォーム部材の回転を停止するように制御する。ＣＰＵは、回転可能プラットフォーム部材の回転速度に基づいて回転可能プラットフォーム部材の周縁の高さを増加又は低減するために回転可能プラットフォーム部材の勾配を自動的に制御し、粒子状基質は、砂、粉末、砂利、ゴムペレット、及び発泡物品のうちの少なくとも１つを含む。
【００１０】
ある一定の実施形態の上記及び他の態様、特徴、及び利点は、添付図面に関連して読まれる以下の詳細説明からより明らかであろう。
【図面の簡単な説明】
【００１１】
【図１】本発明の実施形態によるトレッドミルシステムを示す図である。
【発明を実施するための形態】
【００１２】
以下、添付図面を参照し、一の実施形態を詳細に説明する。詳細な説明において、当業技術で公知の関連の機能又は構成に関する説明は、本発明を不要な詳細で不明瞭にすることを回避するために、本発明の概念を理解する際の明瞭さが得られるように省略される。
【００１３】
図１は、本発明の実施形態によるトレッドミルシステム１００を示している。トレッドミルシステム１００は、側壁部材１０５を含む。側壁部材１０５は、透明ガラス、プラスチック、又は他の適切な材料で構成することができる。側壁部材１０５の面は、ユーザの好みに従って浜辺又は熱帯雨林のテーマのような様々なイラストを含む透明な着色材料又はプラスチックフィルムで覆うことができる。側壁部材１０５は、側壁部材１０５の上縁の少なくとも一部分の周りに延びるリム部材１１０を含む。リム部材１１０は、発泡ゴム、ゴム、プラスチック、金属、又は他の適切な材料で構成することができる。リム部材１１０は、側壁部材１０５の上縁を覆い、把持するための区域をトレッドミルシステム１００のユーザに提供し、彼らの手は、トレッドミルシステム１００が作動中の間又はユーザがトレッドミル１００に入るか又は出る間の安定性を維持する。
【００１４】
トレッドミルシステム１００は、側壁部材１０５によって囲まれた区域へのアクセスを与えるハッチ部材１１５を含む。ハッチ部材１１５は、ヒンジ１２０によって側壁部材１０５に結合することができる。ハッチ部材１１５は、面上に配置されたハンドル１２５を含むことができる。ユーザは、ハッチ部材を引いて開くためにハンドル１２５を把持する。ハッチ部材１１５は、ユーザがハンドル１２５上を引いた時に側壁部材１０５によって囲まれた区域から離れる方向に外向きにヒンジ１２０の周りに回転する。ハッチ部材１１５が開いた状態で、ユーザは、側壁部材１０５によって囲まれた区域を入るか又は出ることができる。
【００１５】
トレッドミルシステム１００は、側壁部材１０５の下縁に剛的に結合されたベース部材１３０を含む。ベース部材１３０は、側壁部材１０５の円周全体を支持する。ベース部材１３０は、金属、金属合金、プラスチック、又は他の適切な材料で構成することができる。ベース部材１３０は、ベース部材１３５の側面の少なくとも一部分の周りに配置された少なくとも１つの通気孔１３５を含む。ベース部材１３０は、複数の通気孔１３５を含むことができる。通気孔１３５は、熱がベース部材１３５内から逃げることを可能にする。
【００１６】
トレッドミルシステム１００は、支柱部材１４０を含む。支柱部材１４０は、側壁部材１０５及びベース部材１３０の各々の直径の中心に配置される。支柱部材１４０は、側壁部材１０５と実質的に同じ高さまで突出することができる。ハンドル部材１４５は、ヒンジ１４２によって支柱部材１４０に結合される。トレッドミルシステム１００は、リム部材１１０と支柱部材１４０とに結合された複数のハンドル部材を含むことができる。第２のハンドルは、第２のヒンジによって支柱部材にかつハンドル部材１４５と径方向反対の位置でリム部材１１０に結合することができる。例えば、２つのハンドル部材よりも大きい追加のハンドル部材は、リム部材１１０の円周が１／４、１／３、又は他の分数に分割されるようにリム部材１１０及び支柱部材の周りに等しく分配することができる。複数のハンドル部材は、複数のユーザがトレッドミルシステム１００上で同時に歩く及び／又は走ることを可能にする。
【００１７】
ヒンジ１４２は、あらゆる方向に回転可能であるピボットタイプヒンジとすることができ、ハンドル部材１４５がヒンジ１４２の周りに３６０度の半球で回転することを可能にする。ハンドル部材１４５は、支柱部材１４０の上側部分から延びる。ハンドル部材１４５は、側壁部材１０５のリム部材１１０に取外し可能に結合される。ハンドル部材１４５は、ユーザがトレッドミルシステム１００の作動中につまずいた場合に、ハンドル部材１４５が、ユーザによる軽い衝撃でリム部材１１０から分離し、リム部材１１０に過度に剛的に接続されることによってユーザを傷つけないように、リム部材１１０から容易に取外し可能であるように構成することができる。
【００１８】
ハンドル部材１４５は、安定性が得られるようにトレッドミルシステム１００の作動中にユーザが把持することができる。ユーザは、ハンドル部材１４５をリム部材１１０からロック解除し、かつハンドル部材１４５が支柱部材１４０の横に、すなわち、それと平行に静止することを可能にすることができる。この構成において、ハンドル部材１４５は、もはやユーザのウォーキング及び／又はランニング経路にはない。
【００１９】
トレッドミルシステム１００は、回転可能プラットフォーム部材１５０を含む。回転可能プラットフォーム部材は、エクササイズ面１５５、周囲側壁１６０、及び内部側壁１６５を含む。回転可能プラットフォーム部材１５０は、回転可能プラットフォーム部材１５０がその上に静止する支持ハウジング（図示せず）を含む。支持ハウジングは、回転可能プラットフォーム部材１５０に結合されてその重量を支え、かつ回転可能プラットフォーム部材１５０の回転を可能にするように構成される。例えば、支持ハウジングは、本明細書で更に説明するように、回転可能プラットフォーム部材１５０を電気モータに接続する剛性金属足場を含むことができる。周囲側壁１６０は、回転可能プラットフォーム部材１５０の周縁に沿って配置され、内部側壁１６５は、回転可能プラットフォーム部材１５０の内縁に沿って配置される。プラットフォーム部材１５０の周囲側壁１６０は、側壁部材１０５によって囲まれた区域内に全体を配置することができる。
【００２０】
地面からの回転可能プラットフォーム部材１５０の周縁の高さは、回転可能プラットフォーム部材１５０のエクササイズ面１５５が内部側壁１６５に向けて傾斜するように、地面からの回転可能プラットフォーム部材１５０の内縁の高さよりも高くすることができる。回転可能プラットフォーム部材１５０の周縁の高さが回転可能プラットフォーム部材１５０の内縁の高さよりも高い時に、エクササイズ面１５５は、実質的に円錐形状として具現化される。回転可能プラットフォーム部材１５０の回転に起因して、ユーザは、ユーザを支柱部材１４０から離すように引く傾向がある力を体験することができる。エクササイズ面１５５を実質的に円錐の形状として構成することは、ユーザが支柱部材１４０に向けて僅かに傾くことを可能にし、ユーザを支柱部材１４０から離すように引く力を克服する。
【００２１】
回転可能プラットフォーム部材１５０は、支柱部材１４０の周りに回転するように構成される。プラットフォーム部材１５０は、回転可能プラットフォーム部材１５０の下のベース部材１３０内に配置された電気可変速モータ（図示せず）によって回転させられる。電気モータは、支持ハウジングに結合され、かつユーザの足の下の運動を与えるために矢印Ａ及びＢによって示すように回転可能プラットフォーム部材１５０を支柱部材１４０の周りに回転させる。回転可能プラットフォーム部材１５０が回転するので、ユーザは、回転可能プラットフォーム部材１５０の運動によって走る又は歩く。プラットフォーム部材１５０の少なくとも一部分は、側壁部材１０５によって囲まれた区域内に配置される。
【００２２】
トレッドミルシステム１００は、回転可能プラットフォーム部材１５０のエクササイズ面１５５上に配置された粒子状基質１７０を更に含む。粒子状基質１７０は、砂、粉末、砂利、ゴムペレット、及び発泡物品のうちの少なくとも１つを含む。粒子状基質１７０は、ユーザの関節、腱、及び筋肉のエクササイズ及び理学療法にとってより有効であるユーザが歩く及び／又は走ることができる面を提供する。粒子状基質１７０上のウォーキング及びランニングは、ユーザの足が粒子状基質１７０内に沈み、歩く及び走るための筋力負荷の量を増大することをもたらす。すなわち、トレッドミルシステム１００のユーザは、粒子状基質１７０上を走る又は歩く時にエクササイズ体験の改善を有する。
【００２３】
回転可能プラットフォーム部材１５０のエクササイズ面１５５は、粒子状基質１７０を周囲側壁１６０と内部側壁１６５の間に均一に分配するように構成される。エクササイズ面１５５は、平面及び弧状面のうちの少なくとも一方として具現化することができる。回転可能プラットフォーム部材１５０のエクササイズ面１５５が弧状面として具現化される時に、粒子材料１７０は、プラットフォーム部材１５０が支柱部材１４０の周りに回転する間にエクササイズ面１５５を通して均一に分配される。弧状面の湾曲は、プラットフォーム部材１５０の周囲側壁１６０から内部側壁１６５まで延びることができる。弧状面の湾曲は、エクササイズ面１５５の半径の湾曲を指し、半径は、周囲側壁１６０から内部側壁１６５まで延びる。
【００２４】
弧状面の谷は、周囲側壁１６０と内部側壁１６５の間のエクササイズ面１５５の中心に配置することができる。弧状面の谷は、ユーザがエクササイズ面１５５上を歩く及び／又は走る間に粒子材料１７０が集まることになる場所である。ユーザがエクササイズ面１５５上を歩く及び／又は走る時に、ユーザの足は、粒子材料１７０をエクササイズ面１５５の中心から離れる方向に飛ばす傾向がある場合がある。エクササイズ面１５５が弧状面として具現化される時に、粒子材料は、エクササイズ面１５５の周縁からエクササイズ面１５５の中心の方向に戻ることになる。
【００２５】
周囲側壁１６０及び内部側壁１６５の各々の高さは、粒子状基質１７０の深さの少なくとも２倍とすることができる。周囲側壁１６０及び内部側壁１６５の各々の高さはまた、粒子状基質１７０の深さの少なくとも３倍、４倍、５倍、又は１０倍までとすることができる。周囲側壁１６０及び内部側壁１６５の高さは、側壁部材１０５と実質的に同じ高さとすることができる。周囲側壁１６０及び内部側壁１６５の高さはまた、側壁部材１０５の高さの１／４、１／３、１／２、２／３、又は３／４とすることができる。すなわち、プラットフォーム部材１５０の周囲側壁１６０及び内部側壁１６５の高さは、ユーザがエクササイズ面１５５上を歩いている及び／又は走っている間に粒子材料１７０が側壁部材１０５によって囲まれ区域を離れないように十分に高く構成される。
【００２６】
粒子状基質１７０は、定期的に清浄な基質と交換する必要があると考えられる。粒子状基質１７０の除去を容易にするために、側壁部材１０５は、ベース部材１３０から取り外すことができ、回転可能プラットフォーム部材１５０は、支持ハウジングから取り外すことができる。回転可能プラットフォーム部材１５０は、支柱部材１４０の上に持ち上げることができる。回転可能プラットフォーム部材１５０は、次に、汚れた基質を廃棄するためにひっくり返すことができる。新しい基質が、次に、回転可能プラットフォーム部材１５０のエクササイズ面１５５上に充填され、回転可能プラットフォーム部材１５０は、支持ハウジングに再結合され、側壁部材１０５は、ベース部材１３０に再結合される。
【００２７】
トレッドミルシステム１００は、ハンドル部材１４５に取外し可能に結合されたコンピュータ１７５を含む。コンピュータ１７５は、スリーブ部材１８０によってハンドル部材１５０に取外し可能に結合することができる。スリーブ部材１８０は、ハンドル部材１４５によって摺動可能に受け入れられ、コンピュータ１７５は、受け入れ部材１８５内に挿入される。コンピュータ１７５は、タッチスクリーン、ユニバーサルシリアルバス（ＵＳＢ）接続部材、及びコンピュータ処理ユニット（ＣＰＵ）を含む。コンピュータ１７５は、タブレット、モバイル施設、ＰＤＡ、ラップトップ、又は他の適切なデバイスとすることができる。コンピュータ１７５を使用して、ユーザは、タッチスクリーン上で回転可能プラットフォーム１５０の回転の速度及び持続時間を選択することができる。ＣＰＵは、ユーザの選択を受信し、かつ電気モータの作動を制御することによって回転可能プラットフォーム部材１５０の回転の速度及び持続時間のうちの少なくとも一方を制御する。コンピュータ１７５は、有線接続によって電気モータに接続することができる。コンピュータ１７５はまた、例えばＷｉＦｉ又はＢｌｕｅｔｏｏｔｈ（登録商標）によって信号を電気モータに送信かつ受信する無線送受信機を含むことができ、すなわち、電気モータを有線接続なしで制御する。
【００２８】
コンピュータ１７５は、エクササイズ面１５５上のユーザの存在及び不在を感知するカメラセンサを含むことができる。安全機能として、コンピュータ１７５は、ユーザがカメラセンサによって感知されない時に回転可能プラットフォーム部材１５０の回転を停止することができる。コンピュータ１７５はまた、有線又は無線接続のいずれかを通して、ハンドル部材１４５内に配置された電極と通信することができる。ハンドル部材１４５内に配置された電極は、ユーザの手の存在及び不在を感知する。コンピュータ１７５は、ユーザが電極によって感知されない時に回転可能プラットフォーム部材１５０の回転を停止することができる。
【００２９】
回転可能プラットフォーム部材１５０の勾配は、コンピュータ１７５上でユーザによって選択することができる。ユーザは、回転可能プラットフォーム部材１５０のエクササイズ面１５５が内部側壁１６５に向けて傾斜するように回転可能プラットフォーム部材１５０の周縁の高さを増大させることにより、回転可能プラットフォーム部材１５０の勾配の増加又は低減を選択することができる。上述のように、回転可能プラットフォーム部材１５０の周縁の高さが回転可能プラットフォーム部材１５０の内縁の高さよりも高い時に、エクササイズ面１５５は、実質的に円錐形状として具現化される。コンピュータ１７５は、ユーザが僅かに支柱部材１４０に向けて傾いてユーザを支柱部材１４０から離すように引く力を克服することを可能にするために、回転可能プラットフォーム部材１５０の回転速度が増加する時に回転可能プラットフォーム部材１５０の周縁の高さを自動的に増大させることができる。
【００３０】
トレッドミルシステム１００は、本明細書に説明するように、歩いている及び／又は走っている間にユーザが下肢の心臓血管エクササイズ及び／又は理学療法に従事することができる機械を提供する。ユーザのエクササイズ及び／又は理学療法は、トレッドミルシステム１００が、ユーザが１つのタイプの硬質エクササイズ面ではなく様々な粒子状基質上を歩く及び／又は走ることを可能にするように構成されるので、トレッドミルシステム１００によって高められる。本明細書に説明する様々な粒子状基質は、ユーザが、トレッドミルシステム１００上を歩いている及び／又は走っている間にアスファルト又は他の硬質面上よりも多くのエネルギを掛けて異なる筋肉、腱、及び靭帯を利用することを要求する。
【００３１】
本発明の実施形態をそのある一定の実施形態を参照して図示かつ説明したが、添付の特許請求の範囲及びその均等物によって定められる本発明の精神及び範囲から逸脱することなく形態及び詳細の様々な変更を行うことができることは、当業者によって理解されるであろう。
【図１】
2017516616.tif 000003
【国際調査報告】
2017516616.tif 000004